(57)【要約】  本発明は、シャフトのためのブロック装置（１；１００）に関する。該装置は、第１の滑動軸（Ａ１；Ａ１０１）に沿って移動可能なシャフト（２０；２４）を受容する第１の座部（１１ａ；１１１ａ）が形成されたハウジング（１０；１１０）と、ハウジング内に形成された第２の座部（１２；１１２）に受容され、シャフト（２０；２４）のブロック位置（Ｃ２；Ｃ１０２）から離されるようにおよびそれに向かうように第２の滑動軸（Ａ２；Ａ１０２）に沿って移動可能な作動部（３０；１３０）と、ハウジングに受容され、作動部とシャフトとの間に介在する少なくとも１つのランナー（４０ａ；１４０ａ）と、を備える。作動部は、ブロック位置（Ｃ２；Ｃ１０２）に向けて移動されたときに、ハウジング（１０；１１０）に対して作動部（３０；１３０）、ランナー（４０ａ；１４０ａ）およびシャフト（２０；２４）がブロックされるように、シャフト（２０；２４）とハウジング（１０；１１０）との両方にランナー（４０ａ；１４０ａ）の一方を押し付けるように形成される。【選択図】図１
2021531440.tif 000002
【特許請求の範囲】
【請求項１】
シャフトのためのブロック装置（１；１００）であって、
・  第１の滑動軸（Ａ１；Ａ１０１）に沿って移動可能なシャフト（２０；２４）を受容する第１の座部（１１ａ；１１１ａ）が形成されたハウジング（１０；１１０）と、
・  前記ハウジング内に形成された第２の座部（１２；１１２）に受容され、前記第１の座部において前記ハウジングに対して前記シャフト（２０；２４）のブロック位置（Ｃ２；Ｃ１０２）から離されるようにおよびそれに向かうように第２の滑動軸（Ａ２；Ａ１０２）に沿って移動可能な作動部（３０；１３０）と、
・  前記ハウジング内に受容され、前記作動部と前記シャフトとの間に介在する少なくとも１つのランナー（４０ａ；１４０ａ）と、
を備え、
前記作動部は、前記ブロック位置（Ｃ２；Ｃ１０２）に向けて移動されたときに、前記ハウジング（１０；１１０）に対して前記作動部（３０；１３０）、前記少なくとも１つのランナー（４０ａ；１４０ａ）および前記シャフト（２０；２４）がブロックされるように、前記シャフト（２０；２４）と前記ハウジング（１０；１１０）との両方に前記少なくとも１つのランナー（４０ａ；１４０ａ）を押し付けるように形成される、
ブロック装置。
【請求項２】
前記作動部（３０；１３０）は、前記第２の滑動軸（Ａ２；Ａ１０２）に対して傾斜する少なくとも１つの第１の傾斜面（３４；１３４）を備え、前記少なくとも１つのランナー（４０ａ；１４０ａ）は、前記作動部（３０；１３０）が前記ブロック位置（Ｃ２；Ｃ１０２）に向けて移動されたときに、前記第１の傾斜面（３４；１３４）によって、前記シャフト（２０；２４）と前記ハウジング（１０；１００）とに押し付けられるように形成された、対応する第１の当接面（４４；１４４）を備える、請求項１に記載のブロック装置。
【請求項３】
前記第１の傾斜面（３４；１３４）は、互いに直交する３つの軸のいずれかに対して傾斜しており、前記軸のうちの１つは、前記第２の滑動軸（Ａ２；Ａ１０２）に平行である、請求項２に記載のブロック装置。
【請求項４】
前記ハウジング内に受容され、前記作動部（３０；１３０）が前記ブロック位置（Ｃ２；Ｃ１０２）に向けて移動されたときに、互いから離されるように形成された第１および第２のランナー（４０ａ，４０ｂ；１４０ａ，１４０ｂ）を備える、請求項１〜３のいずれか１項に記載のブロック装置。
【請求項５】
前記少なくとも１つのランナー（４０ａ；１４０ａ）は、前記シャフト（２０；２４）の長手方向軸（Ｚ）に平行な第３の滑動軸（Ａ３；Ａ１０３）に沿って移動する能力を有して、前記ハウジング内に受容される、請求項１〜４のいずれか１項に記載のブロック装置。
【請求項６】
前記作動部（３０；１３０）は、前記第３の滑動軸（Ａ３，Ａ１０３）に沿った移動中に、前記少なくとも１つのランナー（４０ａ；１４０ａ）のガイドとして機能するように形成された、前記第１の傾斜面（３４，１３４）に隣接する少なくとも１つの突出部（３４ｂ，１３４ｂ）を備える、請求項５に記載のブロック装置。
【請求項７】
前記作動部は、カムレバー（１６，１１６）に接続されたロッド（１８，１１８）によって、前記第２の滑動軸（Ａ２，Ａ１０２）に沿って移動される、請求項１〜６のいずれか１項に記載されたブロック装置。
【請求項８】
前記ハウジング（１０，１１０）は、前記作動部（３０，１３０）および前記少なくとも１つのランナーによって選択的にブロック可能である複数の前記シャフト（２０，２４）が滑動する複数の前記第１の座部（１１ａ，１１１ａ）を備える、請求項１〜７のいずれか１項に記載のブロック装置。
【請求項９】
前記少なくとも１つのランナーが、前記複数のシャフトの各シャフト（２０，２４）に対して設けられる、請求項８に記載のブロック装置。
【請求項１０】
ビデオ／写真機器を支持するための三脚であって、
延長状態と収縮状態との間で互いに対して移動可能な複数のシャフトと、
所望の位置に前記シャフトをブロックするための少なくとも１つのブロック装置と、
を備え、
前記ブロック装置は、請求項１〜９のいずれか１項に従って構築されることを特徴とする、
三脚。
【発明の詳細な説明】
【技術分野】
【０００１】
本発明は、シャフトのためのブロック装置に関し、より詳細には、写真の技術分野において支持三脚に使用されるブロック装置に関する。
【背景技術】
【０００２】
ビデオ／写真機器を支持するための装置を使用することは、写真の技術分野で広く知られており、その中でも特に一般的であり、アマチュアおよびプロフェッショナルのレベルで高く評価されている装置は、三脚と一脚である。これらの装置は、典型的には、１つまたは複数の脚部を備える。各脚部は、互いに対して滑動可能な複数の区画やシャフトから構成され、動作位置でビデオ／写真機器を有利に支持できるように延長することができ、また、装置自体の輸送および保管を容易にするために装置の全体的な寸法を縮小するように収縮することができる。
【０００３】
ビデオ／写真の撮影中、具体的にはプロ品質の撮影中に、脚部に作用するねじり力によって生じる動きが可能な限り最小限に抑えられる、典型的には三脚である支持装置が特に重要である。この状態は、撮影中に生じ得るビデオ／写真機器の様々な動きや調整の間に、容易に起こり得る。
【０００４】
この問題を解決または最小限に抑えるために、様々な技術的解決策が実施されてきた。その中には、シャフトの厚さを厚くしたり、（例えば炭素繊維を含む複合材料のような、高い弾性率を有する材料を使用して）シャフトの剛性を高めたり、互いに固定された平行な１対の脚部を製造したりすることによって得られたものが含まれる。この最後に述べた技術的解決策に関して、各脚部のシャフトがブロック装置によって所望の位置でブロックされる支持装置を製造することが知られている。ブロック装置は、ハウジングの内側で滑動可能なランナーを備える。ランナーは、シャフトに向けて移動可能であり、シャフトに当接してシャフト自体に対して半径方向に圧力を加えて、ハウジングに対してブロックされる。
【０００５】
しかしながら、本出願人は、これらの支持装置のねじり安定性が完全に満足のいくものではないことを見出した。
【０００６】
特に、本出願人は、上述したブロック装置が、シャフト、ランナーおよびハウジングの間に存在する遊びを排除することも大幅に低減することもできず、これにより、ねじり力が加えられた後の三脚の望ましくない動きを低減するのに不適切であることを観察した。
【発明の概要】
【発明が解決しようとする課題】
【０００７】
本発明によって対処される問題は、引用された従来技術を参照して上述した欠点の少なくとも１つを少なくとも部分的に克服するように構造的および機能的に構成された、シャフトのためのブロック装置およびそのようなブロック装置を備える三脚を提供することである。
【０００８】
また、上述した問題を鑑みて、本発明の目的は、加えられたねじり力に対抗することができ、これにより、高いレベルの剛性および安定性を得ることができる、シャフトのためのブロック装置を提供することである。
【０００９】
本発明の別の目的は、構築が容易であり、低コストで高レベルの安定性を有する三脚の製造を可能にする、シャフトのためのブロック装置を提供することである。
【課題を解決するための手段】
【００１０】
添付の特許請求の範囲に従って実現される、シャフトのためのブロック装置による本発明によって、上述した問題が解決されて上述した目的が達成される。
【００１１】
したがって、本発明の第１の態様において、本発明は、第１の滑動軸に沿ってシャフトが滑動する第１の座部を含むハウジングと、ハウジング内に形成された第２の座部に受容され、第１の座部においてシャフトのブロック位置から離されるようにおよびそれに向かうように第２の滑動軸に沿って移動可能な作動部と、ハウジング内に受容され、作動部とシャフトとの間に介在する少なくとも１つのランナーと、を備える、シャフトのためのブロック装置に関する。
【００１２】
作動部は、ブロック位置に向けて移動されたときに、ハウジングに対して作動部、少なくとも１つのランナーおよびシャフトがブロックされるように、シャフトとハウジングとの両方に少なくとも１つのランナーを押し付けるように形成される。
【００１３】
この技術的解決策によって、作動部は、ブロック位置に向けて移動されたときに、ランナーによってシャフト自体の半径方向成分に応じてシャフトを押して、同時に、少なくとも第３の滑動軸の方向に関して、ランナーおよびハウジングに対してシャフトを固定する。
【００１４】
上述した要素間を相互固定するためのこの協奏的機構によって、上述した従来技術と比較して、全体としてより高い剛性を有し、より安定であり、作動部とシャフトとの間に遊びがない装置が作製され得る。
【００１５】
本発明の第２の態様において、本発明は、延長状態と収縮状態との間で互いに対して移動可能な複数のシャフトと、本発明の第１の態様に従って構築された、シャフトを所望の位置でブロックするための少なくとも１つのブロック装置と、を備える、ビデオ／写真機器を支持するための三脚に関する。
【００１６】
上述した態様の少なくとも１つにおいて、本発明は、以下に示す好ましい特徴のうちの少なくとも１つを有してもよい。
【００１７】
好ましくは、作動部は、作動部がシャフトから最大距離にあるシャフトの自在滑動位置と、作動部がシャフトから最小距離にあるシャフトのブロック位置との間で、第２の滑動軸に沿って移動可能である。
【００１８】
一実施形態によれば、少なくとも１つのランナーは、ハウジング内に形成された第３の座部に受容される。
【００１９】
好ましくは、少なくとも１つのランナーは、第３の滑動軸に沿って移動する能力を有して、ハウジング内に受容される。
【００２０】
好ましくは、作動部は、少なくとも、第２の滑動軸に対して傾斜する第１の傾斜面を備える。
【００２１】
好ましくは、少なくとも１つのランナーは、作動部がブロック位置に向けて移動されたときに、第１の傾斜面によって、シャフトとハウジングとに押し付けられるように形成された、対応する第１の当接面を備える。
【００２２】
このようにして、シャフトに対して（第２の滑動軸の配向に起因して）半径方向に配向された構成要素と、ハウジングに当接するまで少なくとも１つのランナーを移動させる構成要素と、を含む方向の組み合わせに応じて、第１の傾斜面が対応する第１の当接面を押すことを考慮すると、少なくとも１つのランナーを介して作動部によってシャフトに加えられる拘束力の伝達が生じる。
【００２３】
一方がシャフトからの最大距離に相関し、他方がシャフトからの最小距離に相関する２つの動作位置を画定する第２の滑動軸は、シャフト自体の長手方向軸に平行にならないことは明らかである。
【００２４】
好ましくは、作動部の第１の面は、第２の滑動軸および第３の滑動軸に対して傾斜している。
【００２５】
したがって、後述する方向の組み合わせに応じて、第１の傾斜面が少なくとも１つのランナーの対応する第１の当接面を押すことを考慮すると、少なくとも１つのランナーを介して作動部によってシャフトに加えられる上述した拘束力の伝達は、最適化される。
【００２６】
この方向の組み合わせによって、（上述したように）シャフトに対して半径方向に配向された構成要素と、ハウジングに固定されるまで少なくとも１つのランナーを移動させる第３の滑動軸に平行な構成要素と、が提供される。
【００２７】
さらに、少なくとも１つのランナーは、第３の滑動軸の方向に移動可能であり、ハウジングに当接するまで、またはハウジングに対して、第１の傾斜面によって生じる並進移動に、より細かく、より効率的に追従することができる。
【００２８】
好ましくは、第１の傾斜面は、互いに直交する３つの軸のいずれかに対して傾斜しており、その軸のうちの１つは、第２の滑動軸に平行である。
【００２９】
この技術的解決策によって、第１の方向がシャフトの軸に対して半径方向に向けられ、第２の方向が第３の滑動軸に平行に向けられ、第３の方向が第３の滑動軸に垂直な方向に向けられる３つの方向を含む方向の組み合わせが生じるため、作動部、少なくとも１つのランナー、シャフトおよびハウジングの間にもたらされ得る固定をさらに増大させることができる。
【００３０】
このようにして、作動部、ランナー、シャフトおよびハウジングを互いに堅固に固定することを可能にするそれらの間の協奏的機構をさらに向上させることができる。
【００３１】
好ましくは、ブロック装置は、ハウジング内に受容される第１および第２のランナーを備える。第１および第２のランナーは、作動部がブロック位置に向けて移動されたときに、互いから離されるように形成される。
【００３２】
この構成によって、第１および第２のランナーが互いに当接するように移動して、第３の滑動軸の反対方向においてブロックされるため、作動部、ランナー、シャフトおよびハウジングの間で得られる固定がさらに最適化される。
【００３３】
一実施形態によれば、第３の滑動軸は、シャフトの長手方向軸に平行である。
【００３４】
この技術的解決策によって、ハウジング上で少なくとも１つのランナーによって生じる固定動作が、シャフトに対するハウジングの滑動可能な方向に平行な方向に正確に向けられることが保証される。これにより、システムの剛性が最適化される。
【００３５】
好ましくは、作動部は、第１の傾斜面に隣接する少なくとも１つの突出部を備える。突出部は、第３の滑動軸に沿った少なくとも１つのランナーのためのガイドとして機能するように形成される。
【００３６】
これにより、第１の傾斜面と対応する第１の当接面との間の、第３の滑動軸に対して横方向の相互移動の制御性を向上させることができる。
【００３７】
一実施形態によれば、作動部は、カムレバーに接続されたロッドによって、第２の滑動軸に沿って移動される。
【００３８】
この技術的解決策によって、ユーザは、ブロック位置から離されるようにおよびそれに向かうように、作動部を効率的且つ実質的に移動させることができる。
【００３９】
好ましくは、ハウジングは、少なくとも１つのランナーによって作動部が選択的に作動することができる複数のシャフトを滑動させる複数の第１の座部を備える。
【００４０】
これにより、一部のシャフトはブロックされ得、他のシャフトには単に自在滑動または一定の拘束が得られる。
【００４１】
代替的に、ハウジングは、複数のシャフトが滑動する複数の第１の座部と、取り付けられた少なくとも１つの別のシャフトの端部が固定される少なくとも１つの孔と、を備える。
【００４２】
好ましくは、作動部は、複数のシャフトが滑動する複数の第１の座部と、複数のシャフトの各シャフトについて少なくとも１つのランナーが滑動する対応する複数の第３の座部と、を備える。
【００４３】
この解決策によって、より均一で、制御され、効果的に生成されることが望ましい固定動作を分散させて、作動部と複数のシャフトとの間に生じ得る遊びを最小限に抑えることができる。
【００４４】
本発明の一実施形態によれば、上述した特徴の少なくとも１つを有する複数のブロック装置を備えるブロックシステムが設けられる。複数のブロック装置の各々は、少なくとも１つの対応するシャフトをブロック解除またはブロックするように作用する。
【００４５】
この解決策によって、異なるシャフトを並進移動させることができ、これにより、滑動部位が定義される。この滑動部位の各々は、高いレベルのねじり剛性を有し、全体として、それらが適用される写真／ビデオ機器を支持する脚部の最大長および最小長が定義される。
【図面の簡単な説明】
【００４６】
本発明の特徴および利点は、非限定的な一例として添付の図面を参照して記載するいくつかの好ましい実施形態の詳細な説明からより明らかになるであろう。
【図１】シャフトのためのブロックシステムと、本発明に従って実現された、シャフトのための２つのブロック装置と、を備える、ビデオ／写真機器を支持するための装置を模式的に示す斜視図である。
【図２】図１の支持装置の第１の実施形態を模式的に示す正面部分斜視図である。
【図３】支持要素を省略した、図１の支持装置を拡大して模式的に示す斜視図であり、シャフトのためのブロック装置の一実施形態が図示されている。
【図４】図１の支持装置を模式的に示す背面部分斜視図である。
【図５】作動部を省略した、図４の支持装置を模式的に示す斜視図である。
【図６】カム機構のためのハウジングおよびレバーを省略した、図２の装置の斜視図である。
【図７】図６の作動部のみを模式的に示す斜視図である。
【図８】ハウジングを省略した、図５の装置を模式的に示す斜視図であり、作動部が図示されている。
【図９】図５のブロック装置の詳細を模式的に示す部分詳細斜視図である。
【図１０】図５のブロック装置の詳細を模式的に示す部分詳細斜視図である。
【図１１】本発明に従って構築された、シャフトのためのブロック装置の第２の実施形態を模式的に示す正面斜視図である、
【図１２】図１１のブロック装置を模式的に示す背面斜視図である。
【図１３】作動部を省略した、図１２の装置を模式的に示す斜視図である。
【図１４】カム機構のためのハウジングおよびレバーを省略した、図１２の装置を模式的に示す斜視図である。
【図１５】図１４の装置を模式的に示す斜視図である。
【発明を実施するための形態】
【００４７】
図１は、本発明に従って構築された、シャフトのための２つのブロック装置１および１００を含む、シャフトのためのブロックシステム２００を備える、ビデオ／写真機器のための支持体を示す。
【００４８】
支持体および構成要素の空間的構成が容易に理解されるように、図１、図２、図４、図６、図７、図１１、図１２および図１３には、上述した機器の支持体が通常配置される水平支持平面に対する垂直方向によって軸Ｚが識別され得る３軸座標系Ｘ，Ｙ，Ｚが含まれる。
【００４９】
ビデオ／写真機器のための支持体は、三脚の脚部であり、複数の剛性シャフト２０，２１，２２，２３，２４を備え、その頂点には、プレートが配置される。プレートには、例えば３／８インチねじのような取り付け要素が設けられる。これは、図示しない従来のビデオ／写真機器を三脚に取り付けるために設けられる。
【００５０】
まず、図１〜図１０を参照すると、本発明に従って構築された、シャフトのためのブロック装置の第１の実施形態が参照符号１によって全体として示されている。
【００５１】
好ましくは、シャフトのためのブロック装置１は、シャフト２０，２１がそれぞれの第１の座部１１ａ，１１ｂで滑動可能なハウジング１０を備える。
【００５２】
図３を参照すると、一実施形態によれば、ハウジング１０は、シャフト２０が第１の滑動軸Ａ１に沿って滑動する第１の座部１１ａを備える。
【００５３】
図２を参照すると、この第１の滑動軸Ａ１は、シャフト２０，２１，２２，２３，２４の長手方向軸Ｚ１と、３軸座標系Ｘ，Ｙ，Ｚの縦軸Ｚとに平行である。
【００５４】
図２および図５に示す実施形態では、２つのシャフト２０，２１がハウジング１０に対して第１の座部１１ａ，１１ｂにおいて滑動可能であり、シャフト２２，２３が適切な凹部に固定されて、ハウジング１０に固定的に接合される。中央シャフト２４は、ハウジング１０に固定されないが、移動限界停止部に到達したときに、それに当接するように移動する。
【００５５】
以下に示す主題の側面は、シャフト２０および２１の両方に対称的に適用される。好ましくは、ハウジング１０は、シャフト２０から最大距離にある滑動位置から、シャフト２０から最小距離にあるブロック位置Ｃ２まで、第２の滑動軸Ａ２に沿って移動されることで作動部３０が滑動する第２の座部１２を備える。
【００５６】
図４および図６を参照すると、第２の滑動軸Ａ２は、３軸座標系Ｘ，Ｙ，Ｚの水平軸Ｘに平行である。
【００５７】
ブロック装置１は、シャフト２０および２１に作用する作動部３０を備える。作動部３０は、後述するように、作動部３０とシャフト２０，２１との間に介在する少なくとも１つの対応するランナー４０ａおよび４０ｃによって、各シャフトをブロックする。
【００５８】
有利には、作動部３０は、図３、図５、図８および図１０に示すように、カムレバー１６によってユーザが容易に使用可能な移動機構１５に接続される。より詳細には、図４および図５に示すように、カムレバー１６は、その第１の端部の反対側の第２の端部において作動部３０に固定されたロッド１８の第１の端部にヒンジで接続されたピン１７を有する。また、この移動機構１５は、カムレバー１６と作動部３０との間に介在する例えばばね１９のような弾性動作要素を備える。引き続き図５を参照すると、カムレバー１６が閉じられてカムレバー１６をハウジング１０から最小距離まで移動させると、レバー１６の偏心の回転によって、ピン１７がハウジング１０から離されて、第２の滑動軸Ａ２に沿って、作動部３０がシャフト２０および２１に向けて移動される。
【００５９】
このとき、作動部３０の動きによってばね１９が圧縮され、カムレバー１６が反対方向に回転すると、蓄えられたその弾性エネルギーが解放される。これにより、シャフト２０，２１から離れる作動部３０の動きが促進される。
【００６０】
図５、図９、図１０および図１３を参照すると、好ましくは、ハウジング１０は、少なくとも１つのランナー４０ａが第３の滑動軸Ａ３に沿って滑動する第３の座部１３を備える。
【００６１】
作動部３０は、ブロック位置Ｃ２に向けて移動されたときに、ハウジング１０に対して作動部３０、少なくとも１つのランナー４０ａおよびシャフト２０がブロックされるように、シャフト２０とハウジング１０とに少なくとも１つのランナー４０ａを押し付けるように形成される。
【００６２】
一実施形態によれば、作動部３０は、第２の滑動軸Ａ２および第３の滑動軸Ａ３に対して傾斜する少なくとも１つの第１の傾斜面３４を備える。
【００６３】
図に示す実施形態において、好ましくは、第３の滑動軸Ａ３は、軸Ｚに平行である。
【００６４】
図７を参照すると、好ましくは、作動部３０は、ハウジング１０の内側に挿入されたときに第２の滑動軸Ａ２に垂直な主展開軸Ｌに従って細長い形状を有する。この主展開軸Ｌは、３軸座標系Ｘ，Ｙ，Ｚの軸Ｘに平行である。
【００６５】
作動部３０は、実質的に平行六面体状の細長い形状を有する本体３１を備える。本体３１には、互いに反対側の第１の端部３２および第２の端部３３が画定される。
【００６６】
さらに、作動部３０は、第１の端部３２の領域において第１の傾斜面３４および第２の傾斜面３５を備え、第２の端部３３の領域において第３の傾斜面３６および第４の傾斜面３７を備える。
【００６７】
引き続き図７を参照すると、第１の傾斜面３４および第２の傾斜面３５は、入射しており、有利には、第２の滑動軸Ａ２および主展開軸Ｌによって画定される（すなわち３軸座標系Ｘ，Ｙ，Ｚの軸ＸおよびＹによって画定される）対称性を有する横方向平面に対して対称である傾斜を有する。
【００６８】
換言すると、第１の傾斜面３４および第２の傾斜面３５は、作動部がハウジング１０の内側に挿入されたときに頂点がシャフト２０に向けられる楔部の側面に対応する。
【００６９】
第１の端部３２ならびに第１の傾斜面３４および第２の傾斜面３５について説明したこれらの特徴は、第２の端部３３ならびに第３の傾斜面３６および第４の傾斜面３７にもそれぞれ適用される。
【００７０】
好ましくは、少なくとも１つのランナー４０ａは、作動部３０がブロック位置Ｃ２に向けて移動されたときに、第１の傾斜面３４によって、シャフト２０とハウジング１０とに押し付けられるように形成された、対応する第１の当接面４４を備える。
【００７１】
第１のランナー４０ａは、接触するシャフト２０と同様の曲率半径を含む湾曲した基本面を有する。したがって、第１のランナーの基本面とシャフトの面との間に、形状に適合する接続が生じる。
【００７２】
これにより、少なくとも１つのランナー４０ａと、それが支持されるシャフトとの間の効果的な接触と滑動能力とが確保される。
【００７３】
一実施形態によれば、好ましくは、第１の傾斜面３４、第２の傾斜面３５、第３の傾斜面３６および第４の傾斜面３７は、平面である。図５、図８、図９および図１０を参照すると、有利には、対応する第１の当接面４４、第２の当接面４５、第３の当接面４６および第４の当接面４７もまた、平面である。また、傾斜面および対応する当接面の追加の代替形態も設けられる。これには、例えば、凹面、凸面、または作動部３０と少なくとも１つのランナー４０ａとの間の相互固定動作を増加および向上させることができる特定のリブ（ribbing）が設けられた面が含まれる。
【００７４】
上述した傾斜面３４，３５，３６，３７および対応する当接面４４，４５，４６，４７は、互いに接触するように配置されたときに、形状に適合する接続が生じるように形成される。換言すると、この形状によって、対応する第１の当接面４４、第２の当接面４５、第３の当接面４６および第４の当接面４７は、滑動軸Ａ２に沿って作動部３０と共に移動するようにまたは作動部３０から離されるように、一方を他方に容易に滑動させて、第１の傾斜面３４、第２の傾斜面３５、第３の傾斜面３６および第４の傾斜面３７を効果的に補完することができる。
【００７５】
引き続き図７を参照すると、好ましくは、第１の傾斜面３４は、そのうちの１つの軸が第２の滑動軸Ａ２に平行な互いに直交する３軸のいずれかに対して傾斜している。換言すると、第１の傾斜面３４および第２の傾斜面３５は、作動部がハウジング１０の内側に挿入されたときにシャフト２０に向けられる頂点を有する上述した楔部の側面に対応する。シャフト２０に対する楔部の頂点の配向方向は、横方向であり、展開軸Ｌに対して垂直ではない（すなわち、第２の滑動軸Ａ２に対して平行ではなく、横方向である）。
【００７６】
このように、楔部の側壁である第１の傾斜面３４および第２の傾斜面３５は、第２の滑動軸Ａ２および展開軸Ｌによって画定される横方向平面に平行ではなく、（３軸座標系Ｘ，Ｙ，Ｚの平面ＸＹによって画定される）その横方向平面への突出さえも第２の滑動軸Ａ２や展開軸Ｌに平行ではない。
【００７７】
図９を参照すると、好ましくは、装置１は、第３の座部１３に受容される第１のランナー４０ａおよび第２のランナー４０ｂを備える。第１のランナー４０ａおよび第２のランナー４０ｂは、作動部３０がブロック位置Ｃ２に向けて移動されたときに、互いから離されるように形成される。
【００７８】
図９に示すように、第１のランナー４０ａおよび第２のランナー４０ｂは、ハウジング１０の内側に挿入されたときに作動部３０の横方向平面に平行である対称平面に対して互いに対称である傾斜面の形態を有する対応する第１の当接面４４および第２の当接面４５を有する（図８参照）。この場合、この形態によって、対応する第１の当接面４４および第２の当接面４５は、滑動軸Ａ２に沿って互いに向かうようにまたは互いから離されるように移動する作動部３０の動きに応じて、一方を他方に容易に滑動させて、作動部３０の第１の傾斜面３４および第２の傾斜面３５を効果的に補完することができる。
【００７９】
第３の座部１３の内側に初めて挿入されたときに、第１のランナー４０ａおよび第２のランナー４０ｂは、薄い舌部３９（または接続要素）を介して互いに固定される。薄い舌部３９は、作動部３０がブロック位置Ｃ２に初めて移動された際に破断するように意図されている。
【００８０】
引き続き図９を参照すると、第１のランナー４０ａおよび第２のランナー４０ｂは、ハウジング３０の当接部１４と接触しながら、第３の滑動軸Ａ３に沿って移動する。特に、これらの当接部１４は、作動部３０の平面要素１４ｂまたは作動部自体から突出する突出部１４によって構成され得る。
【００８１】
引き続き図９を参照すると、有利には、第３の滑動軸Ａ３は、シャフト２０の長手方向軸Ｚに平行である。
【００８２】
また、上述した考察は、第２のシャフト２１に一般的に同様に受容される第３のランナー４０ｃおよび第４のランナー４０ｄにも適用されるように意図されている。
【００８３】
好ましくは、作動部３０は、第１の傾斜面３４に隣接する少なくとも１つの突出部３４ｂを備える。少なくとも１つの突出部３４ｂは、対応する第１の当接面４４の第３の滑動軸Ａ３に沿ったガイトとして機能するように形成される。
【００８４】
図７を参照すると、この突出部３４ｂは、第２の滑動軸Ａ２および展開軸Ｌによって画定される横方向平面に垂直な軸に沿った主展開部を有する。好ましくは、突出部３４ｂは、上述した横方向平面に向かう方向にテーパ状になる点状の形状を有する。
【００８５】
同時に複数のシャフトをブロックすることが望ましい場合、作動部３０は、それぞれのシャフトと相互作用する複数のランナーを同時に移動させることができる傾斜面を有する必要がある。図２〜図９に示すように、作動部が作用することが望ましい各シャフトに対して、少なくとも１つのランナーが存在することが重要である。
【００８６】
図１を参照すると、第１のブロック装置１と三脚の脚部の支持足部との間に介在する第２のブロック装置１００が示されている。
【００８７】
この第２のブロック装置１００は、（単一のシャフト２４に作用するようにおよびそれをブロックするように形成されているという点を除いて）第１のブロック装置と実質的に同一である。したがって、第１のブロック機構１に関して上述した特徴は、第２のブロック装置１００にも適用される。ここでは、ハウジング１０はハウジング１１０に置き換えられ、シャフト２０は、第１の滑動軸Ａ１０１に沿って第１の座部１１１ａの内側で移動するシャフト２４に置き換えられ、作動部３０は、第２の滑動軸Ａ１０２に沿って第２の座部１１２の内側で移動する作動部１３０に置き換えられ、少なくとも１つのランナー４０ａは、第３の滑動軸Ａ１０３に沿って第３の座部１１３の内側で移動する少なくとも１つのランナー１４０ａに置き換えられる。
【００８８】
図１１、図１２および図１３の３軸座標系Ｘ，Ｙ，Ｚを考慮すると、第１の滑動軸Ａ１０１および第３の滑動軸Ａ１０３は、軸Ｚに平行であり、第２の滑動軸Ａ１０２は、軸Ｘに平行である。
【００８９】
したがって、第２のブロック装置１００の作動部１３０は、第２の滑動軸Ａ１０２に沿って、作動部がシャフト２４から最大距離にある滑動位置から、作動部がシャフト２４から最小距離にあるブロック位置Ｃ１０２へ移動されて、第２の座部１１２に沿って滑動する。この場合、作動部１３０がブロック位置Ｃ１０２に向けて移動されたときに、ハウジング１１０に対して作動部１３０、少なくとも１つのランナー１４０ａおよびシャフト２４がブロックされるように、少なくとも１つのランナー１４０ａをシャフト２４とハウジング１１０とに押し付けるように移動する。
【００９０】
図１１は、ハウジング１１０がシャフト２２および２３のための非貫通孔を有し、中央シャフト２４が第１の座部１１１ａ内を滑動する第２のブロック装置１００を示す。
【００９１】
また、この場合、作動部１３０は、ロッド１１８によって作動部１３０自体に接続されたカムレバー１１６を備える移動機構１１５によって移動される。
【００９２】
作動部１３０は、好ましくは平面展開を含む第１の傾斜面１３４および第２の傾斜面１３５を有する。第１のランナー１４０ａおよび第２のランナー１４０ｂは、第１の傾斜面１３４および第２の傾斜面１３５に平行な空間的展開を含む、対応する第１の傾斜面１４４および第２の傾斜面１４５を有する。
【００９３】
また、この場合、第１のランナー１４０ａおよび第２のランナー１４０ｂは、それらが支持されるシャフト２４と同様の曲率半径を有する湾曲した基本面を有する。
【００９４】
有利には、第１のランナー１４０ａおよび第２のランナー１４０ｂは、作動部１３０がブロック位置に初めて移動された際に破断するように意図されている薄い舌部１３９（または接続要素）を介して、互いに固定される。
【００９５】
好ましくは、作動部１３０は、第１の傾斜面１３４に隣接する少なくとも１つの突出部１３４ｂを備える。少なくとも１つの突出部１３４ｂは、第３の滑動軸Ａ１０３に沿った、対応する第１の当接面１４４のガイドとして機能するように形成される。
【００９６】
図１２を参照すると、この突出部１３４ｂは、第１の滑動軸Ａ１０１に平行な主展開部を有する。好ましくは、突出部１３４ｂは、テーパ状の点状の形状を有する。
【００９７】
本発明に含まれる一実施形態によれば、上述した特徴の少なくとも一部を有する複数のブロック装置１；１００を備えるブロックシステム２００が提供される。ここで、各ブロック装置１；１００は、対応するシャフト２０；２４をブロック解除またはブロックすることで機能する。
【００９８】
再び図１を参照すると、図示されている三脚の脚部を含むビデオ／写真機器のための支持体は、２つのシャフト２０，２１に同時に作用する第１のブロック装置１と、シャフト２４のみに作用する脚部の支持端部近傍の位置に配置された第２のブロック装置と、を備える。
【００９９】
ブロック装置１は、以下に非限定的な一例として示すように使用される。
【０１００】
三脚の脚部を含むビデオ／写真機器のための支持体が図１に示されている。支持体は、脚部を備え、脚部は、脚部のシャフトのすべてが互いに接近して脚部が最小の範囲を有する収縮状態と、シャフトが互いに離間して脚部が最大の範囲を有する延長状態との間で、所望の長さに延長可能である。
【０１０１】
有利には、ユーザは、第２のブロック装置１００のカムレバー１１６を回転することができ、これにより、作動部１３０を滑動位置にして、シャフト２４に対する第２のブロック装置１００の自在滑動を許容することができる。有利には、シャフト２４には、第２のブロック装置１００に対するシャフト２４の最大滑動長を画定する移動限界停止部１６０が設けられる。
【０１０２】
シャフト２４に対して第２のブロック装置１００の所望の位置が特定されると、ユーザは、カムレバー１１６を閉位置にして、レバー１１６の偏心を回転させ、ロッド１１８を移動させる。ロッド１１８は、作動部１３０を１対のランナー１４０ａ，１４０ｂに向けて移動させる。これにより、作動部１３０およびハウジング１１０に対するシャフト２４の滑動がブロックされる。
【０１０３】
さらに、ユーザは、必要に応じて、第１のブロック装置１に作用するように脚部の長さを変化させることもできる。
【０１０４】
この場合、カムレバー１６を個々の座部から係合解除することにより、作動部３０がシャフト２０および２１から離され得る。これにより、所定の座部の内側での自在滑動が許容される。
【０１０５】
シャフト２０，２１に対して第１のブロック装置１の新しい位置が画定されると、ユーザは、カムレバー１６を反回転させ、カムレバー１６を個別のクランプ位置に移動させて、システムをブロックすることができる。ここで、ロッド１８は、シャフト２０，２１に向けて作動部３０を半径方向に移動させ、２対のランナー４０ａ，４０ｂおよび４０ｃ，４０ｄをハウジング１０に当接するように移動させる。これにより、作動部３０、シャフト２０，２１、２対のランナー４０ａ，４０ｂおよび４０ｃ，４０ｄ、ならびにハウジング１０が互いに対してブロックされる。
【０１０６】
第１のブロック装置１と第２のブロック装置１００との間の固定距離は、２つのブロック装置内に形成された座部または孔で受容されるシャフト２２，２３の長さによって厳密に画定される。
【０１０７】
したがって、本発明に従って構築された発明を含む三脚の脚部を有するビデオ／写真機器の支持体によって、従来技術で定義された技術的解決策によって得られるものよりも優れた品質のビデオ／写真露出を得ることができることに留意されたい。
【０１０８】
実際、作動部とシャフトとの間に介在する少なくとも１つのランナーの存在によって、作動部が半径方向に、且つ第３の滑動軸の少なくとも１つの追加の平行成分または垂直成分に応じてブロック位置に移動されたときに、それらが固定され、作動部とハウジングとの間に存在する遊びを排除しないにしても、大幅に減少させる。このようにして、２つの脚部部分が屈曲したときにそれらの部分の間で起こり得る回転を防ぐことができる。
【０１０９】
したがって、本発明は、引用された従来技術を参照して上述した欠点を克服しながら、多くの利点を提供する。
【０１１０】
言うまでもなく、本願の具体的且つ偶発的な要件を満たす目的で、当業者は、添付の特許請求の範囲の定義から逸脱することなく、上述した発明をさらに修正および変形することができる。
【図１】
2021531440.tif 000003
【図２】
2021531440.tif 000004
【図３】
2021531440.tif 000005
【図４】
2021531440.tif 000006
【図５】
2021531440.tif 000007
【図６】
2021531440.tif 000008
【図７】
2021531440.tif 000009
【図８】
2021531440.tif 000010
【図９】
2021531440.tif 000011
【図１０】
2021531440.tif 000012
【図１１】
2021531440.tif 000013
【図１２】
2021531440.tif 000014
【図１３】
2021531440.tif 000015
【図１４】
2021531440.tif 000016
【図１５】
2021531440.tif 000017
【国際調査報告】
2021531440.tif 000018
2021531440.tif 000019
2021531440.tif 000020